(57)【特許請求の範囲】
【請求項１】
通信機能を有し、他の撮影装置からの遠隔操作により撮影を行う撮影装置であって、
前記他の撮影装置からの撮影を指示する撮影指示情報と、前記撮影装置への制御を指示する装置制御指示情報とを受信する受信手段と、
前記受信手段によって前記装置制御指示情報を受信した後に、更に装置制御指示情報を受信した場合、当該装置制御指示情報を受け付けないように制御する制御手段と、
前記受信手段によって前記撮影指示情報を受信した場合、当該撮影指示情報を受信したときの状態にかかわらず撮影を行う撮影手段と、
前記撮影手段によって撮影された撮影画像、前記装置制御指示情報、前記撮影指示情報を関連付けて記録する記録手段と、
を有することを特徴とする撮影装置。
【請求項２】
前記他の撮影装置ごとに前記装置制御指示情報に基づく制御を許可するか否かを判定する判定手段を更に有することを特徴とする請求項１に記載の撮影装置。
【請求項３】
前記装置制御指示情報を入力する入力手段を更に有し、前記判定手段は、前記入力手段により前記装置制御指示情報が入力された場合、当該装置制御指示情報を優先することを特徴とする請求項２に記載の撮影装置。
【請求項４】
前記撮影手段は、撮影を行うことができない場合に前記撮影指示情報を受信すると、該撮影指示情報に基づく撮影を行わず、既に撮影され記録された画像を前記撮影指示情報による撮影画像として記録することを特徴とする請求項１乃至３の何れか１項に記載の撮影装置。
【請求項５】
前記撮影画像を一時的に保存する手段を更に有し、前記撮影手段は、撮影を行うことができない場合に前記撮影指示情報を受信すると、該撮影指示情報に基づく撮影を行わず、既に撮影され一時的に保存された画像を前記撮影指示情報による撮影画像として記録することを特徴とする請求項１乃至３の何れか１項に記載の撮影装置。
【請求項６】
通信機能を有し、他の撮影装置からの遠隔操作により撮影を行う撮影装置の制御方法であって、
受信手段が、前記他の撮影装置からの撮影を指示する撮影指示情報と、前記撮影装置への制御を指示する装置制御指示情報とを受信する受信工程と、
制御手段が、前記受信工程において前記装置制御指示情報を受信した後に、更に装置制御指示情報を受信した場合、当該装置制御指示情報を受け付けないように制御する制御工程と、
撮影手段が、前記受信工程において前記撮影指示情報を受信した場合、当該撮影指示情報を受信したときの状態にかかわらず撮影を行う撮影工程と、
記録手段が、前記撮影工程において撮影された撮影画像、前記装置制御指示情報、前記撮影指示情報を関連付けて記録する記録工程と、
を有することを特徴とする撮影装置の制御方法。
【請求項７】
コンピュータを請求項１乃至５の何れか１項に記載の撮影装置の各手段として機能させるためのプログラム。
【発明の詳細な説明】
【技術分野】
【０００１】
本発明は、通信機能を有し、他の撮影装置からの遠隔操作により撮影を行える撮影装置及びその制御方法に関する。
【背景技術】
【０００２】
近年、カメラを始めとする撮像機器のデジタル化及びネットワーク技術の進歩により、撮像機器に対して遠隔地から操作を行い、撮影結果を取得する技術が実現されつつある。例えば、ネットワークを利用したネットワークカメラ技術では、地理的に離れた操作者がデジタルカメラをインターネットなどの通信ネットワークを介して自由に操作し、遠隔地の映像を取得することが可能となっている。
【０００３】
一方、一般的に広く普及しているデジタルカメラをユーザ同士で相互に操作するための技術も登場している。例えば、特許文献１には、一台のカメラから複数のカメラに対して制御情報を送信することで、複数のカメラを同時に制御可能な技術が開示されている。
【先行技術文献】
【特許文献】
【０００４】
【特許文献１】特開2006-238020号公報
【発明の概要】
【発明が解決しようとする課題】
【０００５】
上述したデジタルカメラを相互に操作可能とすることで、遠隔地若しくは異なる構図のデジタルカメラ設定での画像を取得することが可能となる。しかし、上述の技術を始めとして既知の技術には、次のような課題がある。このような相互操作モデルの前提として、一つのデジタルカメラから複数のデジタルカメラを操作する場合は多くあるが、逆に複数のデジタルカメラから一つのデジタルカメラを同時に操作する場合については考慮されていない。特に、次に挙げる２点の課題は、複数のデジタルカメラからの同時操作の場合を実施した際に生じるものである。
【０００６】
まず、遠隔のデジタルカメラを利用することは、即ち、他人の所有するデジタルカメラを用いて撮影を行うことで、カメラの所有者の撮影動作を妨げない、或いは不利益にならないことを前提とする必要がある。カメラ所有者が撮影したいと思ったときに遠隔ユーザからの操作より優先してこれを行う仕組みの実現が課題である。
【０００７】
次に、ある特定のカメラに対して、複数のユーザが操作、撮影を試みる状況では、複数のリクエストを同時並行的に処理し、撮影を行わなければならず、個々のユーザの所望する設定での撮影は困難である。これを解決する方法として、リクエスト到着順に撮影設定と撮影指示を行う、というものが挙げられるが、リクエストが後回しになり、結果として撮影タイミングを逃してしまう、という課題も存在する。
【０００８】
本発明は、複数の撮影装置を共有し、遠隔操作して撮影を行う仕組みを実現することを目的とする。
【課題を解決するための手段】
【０００９】
本発明は、通信機能を有し、他の撮影装置からの遠隔操作により撮影を行う撮影装置であって、
前記他の撮影装置からの撮影を指示する撮影指示情報と、前記撮影装置への制御を指示する装置制御指示情報とを受信する受信手段と、
前記受信手段によって前記装置制御指示情報を受信した後に、更に装置制御指示情報を受信した場合、当該装置制御指示情報を受け付けないように制御する制御手段と、
前記受信手段によって前記撮影指示情報を受信した場合、当該撮影指示情報を受信したときの状態にかかわらず撮影を行う撮影手段と、
前記撮影手段によって撮影された撮影画像、前記装置制御指示情報、前記撮影指示情報を関連付けて記録する記録手段と、
を有することを特徴とする。
【発明の効果】
【００１０】
本発明によれば、複数の撮影装置を共有し、遠隔操作して撮影を行う仕組みを実現することができる。
【図面の簡単な説明】
【００１１】
【図１】複数の遠隔操作カメラが１つの遠隔撮影カメラを遠隔操作するシステムの構成例を示す図。
【図２】デジタルカメラのハードウェア構成例を示す図。
【図３】図２に示すデジタルカメラのソフトウェア構成例を示す図。
【図４】遠隔操作カメラからの装置制御指示情報に基づき遠隔撮影カメラの制御を行う処理を説明する図。
【図５】遠隔操作カメラからの装置制御指示情報に基づき遠隔撮影カメラが撮影を行う処理を説明する図。
【図６】（Ａ）は保存される画像と付加される付加情報とを示す図、（Ｂ）は保存される撮影画像と撮影指示情報とを示す図。
【図７】第１の実施形態における装置制御の処理を示すフローチャート。
【図８】第１の実施形態における撮影処理を示すフローチャート。
【図９】第１の実施形態における制御可能通知処理を示すフローチャート。
【図１０】第２の実施形態における遠隔撮影カメラの優先処理を示すフローチャート。
【図１１】第３の実施形態における撮影処理を示すフローチャート。
【発明を実施するための形態】
【００１２】
以下、図面を参照しながら発明を実施するための形態について詳細に説明する。本発明は、以下に説明する実施形態に限定されることなく、幅広く応用することが可能である。また、実施形態では、被操作側のデジタルカメラ（遠隔撮影カメラ）が操作側のデジタルカメラ（遠隔操作カメラ）により制御されており、撮影設定、撮影指示情報に対する動作が行われることを前提とする。そして、ネットワークを介して通信する通信機能を有する複数のデジタルカメラ同士により遠隔撮影が行われる。
【００１３】
図１は、複数の遠隔操作カメラが１つの遠隔撮影カメラを遠隔操作するシステムの構成例を示す図である。遠隔撮影カメラ１０１はネットワーク１０４を介して遠隔操作カメラ１０２、１０３と接続されている。遠隔撮影カメラ１０１は遠隔操作カメラ１０２、１０３から撮影指示情報、装置制御指示情報を受信し、それに基づき撮影、装置制御を行う。装置制御指示情報としては、合焦、露出調節、ズーム、画質などの撮影に直接関わるものから、画像の転送指示、保存先の変更といった撮影に関わらない装置制御も対象とする。また、撮影した画像は遠隔撮影カメラ１０１の記憶領域上に保存される。
【００１４】
図２は、遠隔撮影カメラ又は遠隔操作カメラであるデジタルカメラのハードウェア構成例を示す図である。ＣＰＵ２０１はＲＯＭや外部記憶領域に格納されたプログラムを読み込み、実行を行う。撮影用のイメージセンサ２０２はＣＭＯＳセンサ、ＣＣＤセンサなどで構成される。ＲＡＭ２０３はプログラムの展開領域、実行中のデータの一時保存、撮影画像の一時保存などに用いられる。ＲＯＭ２０４は実行に必要なプログラム、機器設定のパラメータなどが格納されている。
【００１５】
入力インターフェイス２０５はレリーズボタン２０６、設定ボタン２０７などのユーザインターフェイスと接続され、装置制御指示情報、撮影指示情報の入力を受け取る。出力インターフェイス２０８は撮影画像、機器設定結果の出力を液晶モニタなどを通じて行う。外部記憶インターフェイス２０９はフラッシュメモリなどの不揮発性記憶領域２１０が接続され、撮影画像の保存を行う。ネットワークインターフェイス２１１は装置制御指示情報、撮影指示情報の通信を制御するもので、無線ＬＡＮ、赤外線通信、Bluetoothなどである。
【００１６】
図３は、図２に示すデジタルカメラのソフトウェア構成例を示す図である。先ず通信部３０１は撮影指示情報、装置制御指示情報といった指示情報の受信、及び制御完了通知、制御不可能通知、制御可能通知といった通知の送受信を行う。送信元としては、遠隔操作カメラ１０２、又は同一の遠隔撮影カメラ１０１である。受け取った装置制御指示情報は装置制御判断部３０２に渡される。装置制御判断部３０２では、遠隔撮影カメラ１０１の制御状態により遠隔操作カメラから送信された装置制御指示情報の拒否、或いは処理中の装置制御指示情報による制御を中止することを可能とする。この装置制御判断部３０２は、何れの装置制御指示情報も許可していない状態で、遠隔操作カメラ１０２、１０３或いは遠隔撮影カメラ１０１自身から装置制御指示情報を受け取った場合、その装置制御指示情報による制御を許可する。
【００１７】
装置制御判断部３０２は、遠隔撮影カメラ１０１に対して装置制御指示情報を送信し、カメラに対して制御を行っている遠隔操作カメラ１０２とは異なる遠隔操作カメラ１０３により送信された装置制御指示情報を拒否する。その後、装置制御判断部３０２は指示情報を送信した遠隔操作カメラに対して制御不可能通知を通信部３０１を介して送信する。装置制御判断部３０２は、遠隔撮影カメラ１０１に対して装置制御指示情報を送信し、カメラに対して制御を行っている際に、遠隔撮影カメラ１０１自身から装置制御指示情報の入力があった場合、遠隔撮影カメラ１０１による制御を中止する。そして、遠隔操作カメラ１０２に対して制御不可能通知を通信部３０１を介して送信し、遠隔撮影カメラ１０１からの制御を許可する。
【００１８】
装置制御判断部３０２は、制御を許可した装置による制御が完了し、新たな装置制御指示情報を拒否しない状態になると、遠隔操作カメラに対して制御可能通知を通信部３０１を介して送信する。装置制御判断部３０２は制御の許可を行った装置制御指示情報を制御情報変更部３０３に渡す。制御情報変更部３０３は、受け取った装置制御指示情報を基に、露出設定、ズームなどの装置設定の変更等を行う。
【００１９】
通信部３０１を介して受け取った撮影指示情報は、指示情報撮影部３０４に渡される。指示情報撮影部３０４は渡された撮影指示情報に基づき撮影を行う。装置情報画像付加記録部３０５は指示情報撮影部３０４にて撮影した画像に対して装置制御指示情報を関連付けて保存する。撮影画像一時記録部３０６は、指示情報撮影部にて撮影した画像を一時的に記憶しておく領域であり、連写等の前記支持情報画像付加記録部への負荷が高い状況でのバッファの役割を負う。
【００２０】
ここで、図４を用いて遠隔操作カメラ１０２から送信された装置制御指示情報に基づき遠隔撮影カメラ１０１の装置制御を行う処理を説明する。まず、ステップＳ４０１では、遠隔操作カメラ１０２の設定ボタン２０７、レリーズボタン２０６などを通じて装置制御指示情報の入力を行う。次に、ステップＳ４０２では、入力された装置制御指示情報を、ネットワークインターフェイス２１１を介して遠隔撮影カメラ１０１に送信する。その後、遠隔操作カメラ１０２は遠隔撮影カメラ１０１からの装置制御完了通知を待つ。
【００２１】
一方、遠隔撮影カメラ１０１では、ステップＳ４０３で遠隔操作カメラ１０２から送信された装置制御指示情報を、通信部３０１を介して受信する。次に、ステップＳ４０４で、受信した装置制御指示情報を装置制御判断部３０２で読み込み、制御情報変更部３０３にて装置の制御を行う。そして、ステップＳ４０５で、ステップＳ４０４にて装置制御が完了した旨を、装置制御完了通知として通信部３０１を介して送信する。
【００２２】
一方、ステップＳ４０６では、遠隔操作カメラ１０２が遠隔撮影カメラ１０１から送信された装置制御完了通知をネットワークインターフェイス２１１を介して受信する。そして、ステップＳ４０７では、遠隔撮影カメラ１０１にて装置制御完了通知を受けた後に、新たにユーザからの装置制御指示情報入力を受け付けたか否かを判定する。判定の結果、受け付けていればステップＳ４０１に戻る。また、新たな装置制御指示情報の入力がなければ、この装置制御処理を終了する。
【００２３】
次に、図５を用いて遠隔操作カメラ１０２から送信された撮影指示情報に基づき遠隔撮影カメラ１０１にて撮影を行う処理を説明する。まず、ステップＳ５０１では、レリーズボタン２０６を押下することで撮影指示情報の入力を行う。次に、ステップＳ５０２では、遠隔操作カメラ１０２にて入力された撮影指示情報を、ネットワークインターフェイス２１１を介して遠隔撮影カメラ１０１に送信する。その後、遠隔操作カメラ１０２は遠隔撮影カメラ１０１からの撮影指示完了通知を待つ。
【００２４】
一方、遠隔撮影カメラ１０１では、ステップＳ５０３で遠隔操作カメラ１０２から送信された撮影指示情報を、通信部３０１を介して受信する。次に、ステップＳ５０４では、受信した撮影指示情報を指示情報撮影部３０４で読み込み、撮影を行う。続くステップＳ５０５で、撮影で得られた画像を装置情報画像付加記録部３０５が遠隔撮影カメラ１０１の記憶領域に保存する。図６に示す（Ａ）は、保存される画像と付加される付加情報とを示す図である。この例では、撮影した画像と共に、撮影を行った際の撮影指示情報を示す撮影設定ＩＤ、撮影の指示内容が記載された撮影指示情報を示す撮影指示情報ＩＤと共に保存する。画像を撮影した撮影指示情報から撮影者を判別可能となり、後に画像を転送もしくは共有するための宛先となる。そして、ステップＳ５０６では、ステップＳ５０５にて撮影が完了した旨を撮影指示完了通知として通信部３０１を介して送信する。
【００２５】
一方、ステップＳ５０７では、遠隔操作カメラ１０２が遠隔撮影カメラ１０１から送信された撮影指示完了通知をネットワークインターフェイス２１１を介して受信する。ここで、ステップＳ５０１の撮影指示情報入力方法としては、レリーズボタン２０６の他に、設定ボタン２０７やデジタルカメラの形態を採らない遠隔操作可能な装置の任意の入力部でも良い。また、ステップＳ４０５の画像の保存方法として、撮影した画像を、撮影指示情報を送信した遠隔操作カメラ１０２や、共有ストレージなどに送信した上で保存しても良い。
【００２６】
［第１の実施形態］
次に、第１の実施形態として、遠隔操作カメラ１０２が遠隔撮影カメラ１０１にて撮影条件設定を行っている際に、遠隔操作カメラ１０３から装置制御指示情報と撮影指示情報が送信され、遠隔撮影カメラ１０１が撮影を行う処理を説明する。
【００２７】
まず、図７を用いて遠隔操作カメラ１０２が遠隔撮影カメラ１０１に装置制御指示情報を送信した後、遠隔操作カメラ１０３が遠隔撮影カメラ１０１に装置制御指示情報を送信した場合の処理を説明する。遠隔操作カメラ１０２による制御状態にある遠隔撮影カメラ１０１は、遠隔操作カメラ１０３からの制御を許可せず、特定のカメラからのみ制御可能とすることで、競合の無い装置制御が可能となる。
【００２８】
まず、ステップＳ７０１で、遠隔操作カメラ１０２にて装置制御指示情報が入力され、ステップＳ７０２で遠隔撮影カメラ１０１に装置制御指示情報を送信する。その後、遠隔操作カメラ１０２は遠隔撮影カメラ１０１からの装置制御完了通知を待つ。
【００２９】
一方、ステップＳ７０３では、通信部３０１を介して遠隔撮影カメラ１０１が装置制御指示情報を受信する。受信した装置制御指示情報は装置制御判断部３０２に渡され、制御の許可を受ける。ここで、装置制御指示情報を受信した遠隔撮影カメラ１０１は、送信元である遠隔操作カメラ１０２による制御状態となる。
【００３０】
また、ステップＳ７０４で、遠隔操作カメラ１０３にて装置制御指示情報が入力され、ステップＳ７０５で遠隔撮影カメラ１０１に装置制御指示情報が送信される。この送信により、ステップＳ７０６で遠隔撮影カメラ１０１が通信部３０１を介して遠隔操作カメラ１０３から送信された該装置制御指示情報を受信する。尚、ステップＳ７０６はステップＳ７０３の遠隔操作カメラ１０２からの装置制御指示情報受信より時間的に後であることとする。
【００３１】
受信した装置制御指示情報は装置制御判断部３０２に渡されるが、既に遠隔操作カメラ１０２により制御中であるため、遠隔操作カメラ１０３による制御は許可されない。従って、ステップＳ７０７で、装置制御判断部３０２は通信部３０１を介して遠隔操作カメラ１０３に対して制御不可能通知を送信する。一方、ステップＳ７０８で、遠隔操作カメラ１０３が遠隔撮影カメラ１０１から送信された制御不可能通知を受信する。
【００３２】
次に、ステップＳ７０９では、遠隔操作カメラ１０２の装置制御指示情報を装置に反映させる。そして、ステップＳ７１０では、遠隔撮影カメラ１０１が通信部３０１を介して遠隔操作カメラ１０２に装置制御完了通知を送信する。
【００３３】
一方、ステップＳ７１１では、遠隔操作カメラ１０２が遠隔撮影カメラ１０１より送信された装置制御完了通知を受信する。次に、ステップＳ７１２で、遠隔操作カメラ１０２の所有者により更に装置制御指示情報が入力されている場合は、ステップＳ７０１に戻る。ここで、ステップＳ７０６の遠隔操作カメラ１０３からの装置制御指示情報の受信は、ステップＳ７０３〜７１０の間であれば、これを装置に反映しない。
【００３４】
次に、図８を用いて遠隔操作カメラ１０２が遠隔撮影カメラ１０１に装置制御指示情報を送信した後、遠隔操作カメラ１０３が遠隔撮影カメラ１０１に撮影指示情報を送信した場合の処理を説明する。ステップＳ８０１で遠隔操作カメラ１０２にて装置制御指示情報が入力され、ステップＳ８０２で遠隔撮影カメラ１０１に装置制御指示情報を送信する。その後、遠隔操作カメラ１０２は遠隔撮影カメラ１０１からの装置制御完了通知を待つ。
【００３５】
一方、ステップＳ８０３では、通信部３０１を介して遠隔撮影カメラ１０１が装置制御指示情報を受信する。受信した装置制御指示情報は装置制御判断部３０２に渡され、制御の許可を受ける。ここで、装置制御指示情報を受信した遠隔撮影カメラ１０１は、送信元である遠隔操作カメラ１０２による制御状態となるが、他の遠隔操作カメラ１０３からの撮影指示情報は受け付ける。
【００３６】
また、ステップＳ８０４で、遠隔操作カメラ１０３で撮影指示情報が入力される。続くステップＳ８０５で遠隔撮影カメラ１０１に撮影指示情報を送信する。この送信により、ステップＳ８０６では、通信部３０１を介して遠隔操作カメラ１０３から送信された撮影指示情報を受信し、指示情報撮影部３０４に渡す。次に、ステップＳ８０７では、指示情報撮影部３０４が撮影指示情報を読み込み、撮影を行う。そして、ステップＳ８０８では、装置情報画像付加記録部３０５に撮影した画像の転送を行い、装置情報画像付加記録部３０５が図６に示す（Ａ）の付加情報と共に保存を行う。
【００３７】
次に、ステップＳ８０９では、ステップＳ８０８にて撮影が完了した旨を撮影指示完了通知として通信部３０１を介して遠隔操作カメラ１０３へ送信する。一方、ステップＳ８１０で、遠隔撮影カメラ１０１から送信された撮影指示完了通知を遠隔操作カメラ１０３が受信する。次に、ステップＳ８１１では、遠隔操作カメラ１０２から受信した装置制御指示情報に基づき、制御情報変更部３０３により装置の制御を行う。そして、ステップＳ８１２では、装置制御が完了した旨を撮影指示完了通知として通信部３０１を介して遠隔操作カメラ１０２に送信する。
【００３８】
一方、ステップＳ８１３では、遠隔操作カメラ１０２が遠隔撮影カメラ１０１より送信された装置制御完了通知を受信する。尚、ステップＳ８０６に示す遠隔操作カメラ１０３からの撮影指示情報の受信は、図８に示す処理に限られるものではなく、何れのステップの間でも、撮影指示情報を受け付けそれに基づいて撮影を行うことが可能である。
【００３９】
次に、図９を用いて遠隔撮影カメラ１０１を制御していた遠隔操作カメラ１０２が撮影を完了し、装置制御状態を解除した後、遠隔撮影カメラ１０１が他の遠隔操作カメラ１０３に自身が制御可能である旨の通知を行う処理を説明する。まず、ステップＳ９０１では、遠隔撮影カメラ１０１が遠隔操作カメラ１０２からの撮影指示情報に基づき撮影を行う。ステップＳ９０２では、ステップＳ９０１で装置情報画像付加記録部３０５により撮影した画像を保存する。そして、ステップＳ９０３では、受信した撮影指示情報による撮影指示情報による撮影が完了した旨（撮影指示完了通知）を通信部３０１を介して送信する。
【００４０】
一方、ステップＳ９０４では、遠隔操作カメラ１０２は遠隔撮影カメラ１０１から送信された撮影指示完了通知を受信する。続くステップＳ９０５では、遠隔操作カメラ１０２が装置制御を含む全ての制御を完了したことを示す撮影完了通知を遠隔撮影カメラ１０１に送信する。
【００４１】
これにより、ステップＳ９０６では、遠隔撮影カメラ１０１が通信部３０１を介して撮影完了通知を受信する。装置制御判断部３０２は撮影完了通知を受け取り、遠隔操作カメラ１０２による制御状態を解除する。そして、ステップＳ９０７では、ステップＳ９０６の装置制御状態解除に伴い、新たな遠隔操作カメラからの制御を受付可能であることを示す制御可能通知を通信部３０１を介して遠隔操作カメラ１０３へ送信する。一方、ステップＳ９０８では、遠隔操作カメラ１０３が、ステップＳ９０７で送信された制御可能通知を受信し、遠隔制御可能となる。
【００４２】
第１の実施形態によれば、装置制御指示を許可する遠隔操作カメラを１台に制限すると共に撮影指示については、そのときの状態にかかわらず受け付けて撮影を行うことが可能となる。
【００４３】
［第２の実施形態］
次に、図１０を用いて本発明に係る第２の実施形態を詳細に説明する。遠隔操作カメラ１０２が遠隔撮影カメラ１０１を制御し撮影条件設定を行っている際に、遠隔撮影カメラ１０１から装置制御指示情報及び撮影指示情報が入力される。その後、遠隔操作カメラ１０２による制御が中断され遠隔撮影カメラ１０１が撮影を行う。
【００４４】
まず、ステップＳ１００１で遠隔操作カメラ１０２にて装置制御指示情報が入力され、続くステップＳ１００２で遠隔撮影カメラ１０１に装置制御指示情報を送信する。その後、遠隔操作カメラ１０２は遠隔撮影カメラ１０１からの通知を待つ。
【００４５】
一方、ステップＳ１００３で、通信部３０１を介して遠隔撮影カメラ１０１が装置制御指示情報を受信する。受信した装置制御指示情報は装置制御判断部３０２に渡され、制御の許可を受ける。次に、ステップＳ１００４で、遠隔撮影カメラ１０１自身から装置制御指示情報入力を受け、装置制御指示情報を装置制御判断部３０２に渡す。ここで装置制御判断部３０２は自身からの入力を優先する判断を行い、遠隔操作カメラ１０２による制御の中止を決定する。装置制御判断部３０２は装置制御指示情報を制御情報変更部３０３に渡す。そして、ステップＳ１００５で、判断の結果に基づき、通信部３０１を介して遠隔操作カメラ１０２に制御不可能通知を送信する。
【００４６】
一方、ステップＳ１００６では、遠隔操作カメラ１０２が送信された制御不可能通知を受信する。次に、ステップＳ１００７で遠隔撮影カメラ１０１の制御情報変更部３０３がステップＳ１００４で受け取った遠隔撮影カメラ１０１の装置制御指示情報に基づき装置状態の変更を行う。次に、ステップＳ１００８で遠隔撮影カメラ１０１に対して撮影指示情報が入力されると、指示情報撮影部３０４が指示内容に従って撮影を行う。ステップＳ１００９では、ステップＳ１００８で撮影した画像を装置情報画像付加記録部３０５にて保存する。
【００４７】
第２の実施形態によれば、デジタルカメラの所有者、つまり、そのデジタルカメラ自身からの装置制御指示情報及び撮影指示情報を優先して動作させる。これにより、デジタルカメラ所有者が撮影を行わない時間のみを遠隔ユーザから撮影可能な期間とし、所有者がデジタルカメラ機能を共有することで不利益を被らない仕組みが可能となる。
【００４８】
［第３の実施形態］
次に、図１１を用いて本発明に係る第３の実施形態を詳細に説明する。遠隔操作カメラ１０２が遠隔撮影カメラ１０１を制御し連続した撮影を行っている際に、遠隔操作カメラ１０３から撮影指示情報が入力される。ここで、遠隔操作カメラ１０２による撮影が継続されているので、遠隔操作カメラ１０３からの撮影指示情報による撮影は行わない。これに対して、遠隔操作カメラ１０２による撮影にて得られた画像を遠隔操作カメラ１０３の撮影画像としても保存する。
【００４９】
まず、ステップＳ１１０１で遠隔操作カメラ１０２にて撮影指示情報の入力が行われる。続くステップＳ１１０２で撮影指示情報を遠隔撮影カメラ１０１に送信する。その後、遠隔操作カメラ１０２は遠隔撮影カメラ１０１からの撮影指示完了通知を待つ。
【００５０】
一方、ステップＳ１１０３では、遠隔撮影カメラ１０１が、遠隔操作カメラ１０２から送信された撮影指示情報を、通信部３０１を介して受信する。受信された撮影指示情報は指示情報撮影部３０４に渡される。続くステップＳ１１０４では、撮影指示情報に基づき連続撮影を開始する。
【００５１】
また、ステップＳ１１０５では、遠隔操作カメラ１０３で撮影指示情報が入力される。そして、ステップＳ１００６で、遠隔操作カメラ１０３が撮影指示情報を遠隔撮影カメラ１０１に送信する。その後、遠隔操作カメラ１０３は遠隔撮影カメラ１０１からの撮影指示完了通知を待つ。
【００５２】
一方、ステップＳ１００７では、遠隔撮影カメラ１０１が、遠隔操作カメラ１０３から送信された撮影指示情報を、通信部３０１を介して受信する。受信された撮影指示情報は指示情報撮影部３０４に渡される。この時点で、遠隔操作カメラ１０２による連続撮影が行われており、即座に遠隔操作カメラ１０３の撮影指示情報による撮影を開始できない。そこで、指示情報撮影部３０４は、遠隔操作カメラ１０３の撮影指示情報に基づく撮影を行わず、遠隔操作カメラ１０２の撮影指示情報に基づく撮影結果を同時に遠隔操作カメラ１０３の撮影結果とすることを決定する。
【００５３】
次に、ステップＳ１１０８で、遠隔操作カメラ１０２からの撮影指示情報に基づく連続撮影が終了すると、ステップＳ１１０９で、連続撮影で得られた画像の保存を行う。尚、装置情報画像付加記録部３０５が記録された撮影画像について連続撮影で得られた一連の画像のうち、ステップＳ１１０７における遠隔操作カメラ１０３からの撮影指示情報受信時刻に最も近い撮影画像を撮影指示情報の撮影結果として保存する。具体的には、図６に示す（Ｂ）のように、同一撮影ＩＤに対して、遠隔操作カメラ１０３からの撮影指示情報を指すＩＤを持つものとする。
【００５４】
次に、ステップＳ１１１０、Ｓ１１１２では、ステップＳ１１０９にて撮影が完了した旨を、撮影指示完了通知として通信部３０１を介して遠隔操作カメラ１０２及び１０３へそれぞれ送信する。一方、ステップＳ１１１１、Ｓ１１１３では、遠隔操作カメラ１０２及び１０３にて、遠隔撮影カメラ１０１から送信された撮影指示完了通知を受信する。
【００５５】
尚、ステップＳ１１０９では、一旦記録された画像に対して遠隔操作カメラ１０３からの撮影指示情報ＩＤも併せて保存した。しかし、装置情報画像付加記録部３０５が保存を行う前に、撮影画像一時記録部３０６上に存在する撮影画像に対して撮影指示情報ＩＤを付与しても良い。
【００５６】
第３の実施形態によれば、デジタルカメラが一台の遠隔操作カメラの制御下にあっても、他の遠隔操作カメラによる撮影を可能とすることで、複数のデジタルカメラからの撮影指示情報の競合状態を回避することができる。これにより、遠隔のユーザが複数存在する状態でも、各ユーザが撮影したいと思った瞬間の画像を得ることが可能となる。
【００５７】
［他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005406661.tif 000002
【図２】
0005406661.tif 000003
【図３】
0005406661.tif 000004
【図４】
0005406661.tif 000005
【図５】
0005406661.tif 000006
【図６】
0005406661.tif 000007
【図７】
0005406661.tif 000008
【図８】
0005406661.tif 000009
【図９】
0005406661.tif 000010
【図１０】
0005406661.tif 000011
【図１１】
0005406661.tif 000012